(57)【特許請求の範囲】
【請求項１】
出汁素材を湯に浸して出汁をとるための出汁とり用調理器具であって、
出汁容器と保温容器とを有し、
前記出汁容器は、
出汁容器本体と、当該出汁容器本体の口を開閉自在に密封する出汁容器蓋とを有し、
前記保温容器は、
前記出汁容器本体を着脱自在に収容する保温容器本体と、当該保温容器本体の口を開閉自在に塞ぐ保温容器蓋とを有し、当該保温容器蓋は、前記出汁容器本体の口に丁度嵌合してこれを塞ぐ嵌合部を有し、
前記出汁容器本体を前記保温容器本体に装着し、当該出汁容器本体内に出汁素材と熱湯を入れた後、当該保温容器本体の口を前記保温容器蓋で塞ぎ且つ当該出汁容器本体の口に前記嵌合部を嵌合させてほぼ密封状態で室温にて所定時間以上放置することにより当該出汁素材から出汁をとり、その後、前記保温容器蓋を前記出汁容器本体から取り外し、前記出汁容器本体の口を前記出汁容器蓋で密封することにより、とった出汁を前記出汁容器内にてそのまま保存し得るように構成したことを特徴とする出汁とり用調理器具。
【請求項２】
前記保温容器蓋は、当該蓋の内外に貫通した通気孔を有している請求項１の出汁とり用調理器具。
【請求項３】
前記保温容器蓋の表面に前記出汁素材の計量用実物大画像が付されている請求項１又は２の出汁とり用調理器具。
【請求項４】
前記保温容器蓋の表面に調味料を計量するための計量用窪みが形成されている請求項１乃至３のいずれかの出汁とり用調理器具。
【請求項５】
前記出汁容器本体及び前記出汁容器蓋は、ポリプロピレンからなる成型品であり、
前記保温容器本体及び前記保温容器蓋は、発泡スチロールからなる成型品である請求項１乃至４のいずれかの出汁とり用調理器具。
【請求項６】
前記保温容器の内面に熱反射層が設けられている請求項５の出汁とり用調理器具。
【請求項７】
前記出汁容器は、コンテナータイプのジップロック（登録商標）である請求項１乃至６のいずれかの出汁とり用調理器具。
【請求項８】
コンテナータイプのジップロック（登録商標）を出汁容器に使用し、当該出汁容器の容器本体内にて出汁素材を湯に浸して出汁をとるための出汁とり用保温容器であって、
前記出汁容器の容器本体を着脱自在に収容する保温容器本体と、当該保温容器本体の口を開閉自在に塞ぐ保温容器蓋とを有し、
前記保温容器蓋は、前記出汁容器本体の口に丁度嵌合してこれを塞ぐ嵌合部を有し、
前記出汁容器本体を前記保温容器本体に装着し、当該出汁容器本体内に出汁素材と熱湯を入れた後、当該保温容器本体の口を前記保温容器蓋で塞ぎ且つ当該出汁容器本体の口に前記嵌合部を嵌合させてほぼ密封状態で室温にて所定時間以上放置することにより当該出汁素材から出汁をとり、その後、前記保温容器蓋を前記出汁容器本体から取り外し、前記出汁容器本体の口を前記出汁容器蓋で密封することにより、とった出汁を前記出汁容器内にてそのまま保存し得るように構成したことを特徴とする出汁とり用保温容器。
【請求項９】
前記保温容器蓋は、当該蓋の内外に貫通した通気孔を有している請求項８の出汁とり用保温容器。
【請求項１０】
前記保温容器蓋の表面に前記出汁素材の計量用実物大画像が付されている請求項８又は９の出汁とり用保温容器。
【請求項１１】
前記保温容器蓋の表面に調味料を計量するための計量用窪みが形成されている請求項８乃至１０のいずれかの出汁とり用保温容器。
【請求項１２】
前記保温容器本体及び前記保温容器蓋は、発泡スチロールからなる成型品である請求項８乃至１１のいずれかの出汁とり用保温容器。
【請求項１３】
前記保温容器の内面に熱反射層が設けられている請求項１２の出汁とり用保温容器。
【請求項１４】
請求項１乃至７のいずれかの出汁とり用調理器具を使用して出汁素材から出汁をとる方法であって、
前記出汁素材として昆布、煮干及び混合節を使用することを特徴とする出汁製造方法。
【請求項１５】
前記出汁素材と共に薄口醤油及び砂糖を前記出汁容器本体内に入れて出汁をとることを特徴とする請求項１４の出汁製造方法。
【請求項１６】
熱湯１００質量％に対し、昆布０．５５質量％、煮干１質量％、混合節１質量％を使用する請求項１４の出汁製造方法。
【請求項１７】
熱湯１００質量％に対し、昆布０．５５質量％、煮干１質量％、混合節１質量％、薄口醤油５．５質量％、砂糖０．８質量％を使用する請求項１５の出汁製造方法。
【発明の詳細な説明】
【技術分野】
【０００１】
本発明は、出汁素材から出汁を熱水抽出する技術に関し、より詳細には、出汁素材を熱水に浸して常温にて放置することにより出汁素材から出汁を抽出する出汁とり用調理器具及び出汁製造方法に関するものである。
【背景技術】
【０００２】
家庭で出汁を手軽にとるための調理用ポットは公知である（特許文献１）。この種の調理用ポットは、取っ手と注ぎ口を備えたポット本体と、ポット本体内に収納されたこし網と、ポット本体の開口部を塞ぐ蓋とを有し、昆布、鰹節、椎茸などの出汁素材をこし網に入れて調理用ポット本体内で湯に浸して放置することにより簡単に出汁をとることができる。出汁をとった後は、取っ手を持って注ぎ口を傾けることにより、とった出汁をそのままお椀などに注ぐことができる。
【先行技術文献】
【特許文献】
【０００３】
【特許文献１】特開２００３−２９９４５７号公報
【発明の概要】
【発明が解決しようとする課題】
【０００４】
上述した従来の調理用ポットによれば、ポット本体内に熱湯を注ぎ、出汁素材を入れた後、蓋をした状態でそのまま放置して冷ますことにより、雑味や濁りのないすっきりとした味を引き出した出汁をとることができる。
【０００５】
しかし、このようにしてとった出汁は、直接飲む出汁としては適しているが、うどんつゆやそばつゆ等、麺つゆの素出汁として使用するには旨みが弱い。従来の調理用ポットは、ポット本体及び蓋に陶器や耐熱ガラスを用いているため、熱湯を注いでから数分で湯の温度が約８０度以下に下がってしまうためである。厚削りの鰹節や鯖節、煮干やアゴ、昆布など厚みのある出汁素材は、ある一定時間の加熱調理を必要とする。従来の調理用ポットを使用して、厚みのある出汁素材から出汁をとろうとした場合、出汁素材が水分を吸収してふやけ、濃い出汁が出るころには湯温がすっかり下がってしまっているため、再加熱しなければ出汁をとることができない。これでは初めから加熱調理可能な鍋を使って出汁をとった方が良かったことになってしまう。
【０００６】
本発明が解決しようとする課題は、うどんつゆやそばつゆ等、麺つゆの素出汁として使用するのに適した濃い出汁を、出汁素材を湯に浸して放置するだけで簡単にとることができる出汁とり用調理器具及び出汁製造方法を提供することにある。
【課題を解決するための手段】
【０００７】
［出汁とり用調理器具］
本発明の出汁とり用調理器具は、出汁素材を湯に浸して出汁をとるための出汁とり用調理器具であって、
出汁容器と保温容器とを有し、
前記出汁容器は、
出汁容器本体と、当該出汁容器本体の口を開閉自在に密封する出汁容器蓋とを有し、
前記保温容器は、
前記出汁容器本体を着脱自在に収容する保温容器本体と、当該保温容器本体の口を開閉自在に塞ぐ保温容器蓋とを有し、
前記出汁容器本体を前記保温容器本体に装着し、当該出汁容器本体内に出汁素材と熱湯を入れた後、当該保温容器本体の口を前記保温容器蓋で塞いだ状態で室温にて所定時間以上放置することにより当該出汁素材から出汁をとるように構成したものである。
【０００８】
上記のように構成された本発明の出汁とり用調理器具によれば、出汁素材を湯に浸した状態で、その湯温を出汁の抽出に好適な高い温度（８５℃以上）に所定時間（３０分）以上保つことができるので、うどんつゆやそばつゆ等、麺つゆの素出汁として使用するのに適し雑味や濁りのないすっきりとした味を引き出した出汁をとることができる。
【０００９】
本発明の出汁とり用調理器具において、
前記保温容器蓋は、前記出汁容器本体の口に嵌合してこれを塞ぐ嵌合部を有し、
前記出汁容器本体を前記保温容器本体に装着し、当該出汁容器本体内に出汁素材と熱湯を入れた後、当該保温容器本体の口を前記保温容器蓋で塞ぎ且つ当該出汁容器本体の口に前記嵌合部を嵌合させた状態で室温にて所定時間放置することにより当該出汁素材から出汁をとるように構成することが望ましい。
【００１０】
また、前記保温容器蓋は、当該蓋の内外に貫通した通気孔を有していることが望ましい。保温容器蓋が通気孔を有していることにより、出汁容器本体からの保温容器蓋の取り外しが容易になる。
【００１１】
また、前記保温容器蓋の表面に前記出汁素材の計量用実物大画像（写真、イラスト、等）が付されていることが望ましい。この構成によれば、出汁素材の計量を計量用実物大画像との目視比較により簡単に行うことができる。
【００１２】
また、前記保温容器蓋の表面に調味料（醤油、砂糖、等）を計量するための計量用窪みが形成されていることが望ましい。この構成によれば、調味料を計量用窪みに入れることにより、調味料を簡単に計量できる。そして、計量した調味料を直接、保温容器蓋から出汁容器本体内に入れることができる。また、前記保温容器蓋の表面に、計量した調味料を計量用窪みから前記保温容器蓋の外縁角部に案内するための案内溝が形成されていることが望ましい。この構成によれば、保温容器蓋を案内溝側に傾けることにより、計量した調味料をこぼすことなく出汁容器本体内に導入できる。
【００１３】
また、前記出汁容器本体の口を前記出汁容器蓋で密封することにより、とった出汁を前記出汁容器内にてそのまま保存し得るように構成されていることが望ましい。この構成によれば、出汁容器をとった出汁の保存容器としてそのまま使用できる。
【００１４】
また、前記出汁容器本体及び前記出汁容器蓋は、ポリプロピレンからなる成型品であり、
前記保温容器本体及び前記保温容器蓋は、発泡スチロールからなる成型品であることが望ましい。
【００１５】
また、前記保温容器の内面に熱反射層が設けられていることが望ましい。
【００１６】
また、前記出汁容器は、コンテナータイプのジップロック（登録商標）であることが望ましい。
【００１７】
［出汁とり用保温容器］
本発明の出汁とり用保温容器は、コンテナータイプのジップロック（登録商標）を出汁容器に使用し、当該出汁容器内にて出汁素材を湯に浸して出汁をとるための出汁とり用保温容器であって、
前記出汁容器の容器本体を着脱自在に収容する保温容器本体と、当該保温容器本体の口を開閉自在に塞ぐ保温容器蓋とを有し、
前記保温容器蓋は、前記出汁容器本体の口に嵌合してこれを塞ぐ嵌合部を有するものである。
【００１８】
上記のように構成された本発明の出汁とり用保温容器と食品保存容器として広く普及しているコンテナータイプのジップロック（登録商標）を利用して本発明の出汁とり用調理器具を実現することができる。
【００１９】
本発明の出汁とり用保温容器において、前記保温容器蓋は、当該蓋の内外に貫通した通気孔を有していることが望ましい。保温容器蓋が通気孔を有していることにより、出汁容器本体からの保温容器蓋の取り外しが容易になる。
【００２０】
また、前記保温容器蓋の表面に前記出汁素材の計量用実物大画像（写真、イラスト、等）が付されていることが望ましい。この構成によれば、出汁素材の計量を計量用実物大画像との目視比較により簡単に行うことができる。
【００２１】
また、前記保温容器蓋の表面に調味料（醤油、砂糖、等）を計量するための計量用窪みが形成されていることが望ましい。この構成によれば、調味料を計量用窪みに入れることにより、調味料を簡単に計量できる。そして、計量した調味料を直接、保温容器蓋から出汁容器本体内に入れることができる。また、前記保温容器蓋の表面に、計量した調味料を計量用窪みから前記保温容器蓋の外縁角部に案内するための案内溝が形成されていることが望ましい。この構成によれば、保温容器蓋を案内溝側に傾けることにより、計量した調味料をこぼすことなく出汁容器本体内に導入できる。
【００２２】
また、前記保温容器本体及び前記保温容器蓋は、発泡スチロールからなる成型品であることが望ましい。
また、前記保温容器の内面に熱反射層が設けられていることが望ましい。
【００２３】
［出汁製造方法］
本発明の出汁製造方法は、本発明の出汁とり用調理器具を使用して出汁素材から出汁をとる方法であって、前記出汁素材として昆布、煮干及び混合節を使用することを特徴とする。熱湯１００質量％に対し、昆布０．５５質量％、煮干１質量％、混合節１質量％を使用することが望ましい。前記出汁容器本体の容量が５９１ｍｌの場合、前記出汁容器本体に昆布２．５ｇ、煮干４．５ｇ、混合節４．５ｇ、熱湯４５０ｃｃを入れて出汁をとることが望ましい。
【００２４】
本発明の出汁製造方法には、前記出汁素材と共に薄口醤油及び砂糖を前記出汁容器本体内に入れて出汁をとる方法、すなわち前記出汁素材から抽出した出汁に薄口醤油及び砂糖を加味したつゆの製造方法が含まれる。熱湯１００質量％に対し、昆布０．５５質量％、煮干１質量％、混合節１質量％、薄口醤油５．５質量％、砂糖０．８質量％を使用することが望ましい。前記出汁容器本体の容量が５９１ｍｌの場合、前記出汁容器本体に昆布２．５ｇ、煮干４．５ｇ、混合節４．５ｇ、薄口醤油２５ｃｃ、砂糖４ｇ、熱湯４５０ｃｃを入れて出汁をとることが望ましい。
【発明の効果】
【００２５】
本発明の出汁とり用調理器具によれば、出汁容器本体を保温容器本体に装着し、当該出汁容器本体内に出汁素材と熱湯を入れた後、当該保温容器本体の口を保温容器蓋で塞いだ状態で室温にて所定時間放置することにより、うどんつゆやそばつゆ等、麺つゆの素出汁として使用するのに適し雑味や濁りのないすっきりとした味を引き出した出汁を簡単にとることができる。
【００２６】
本発明の出汁とり用保温容器によれば、食品保存容器として広く普及しているコンテナータイプのジップロック（登録商標）を利用して本発明の出汁とり用調理器具を実現できる。
【００２７】
本発明の出汁製造方法によれば、本発明の出汁とり用調理器具を使用することにより、うどんつゆやそばつゆ等、麺つゆの素出汁として使用するのに適し雑味や濁りのないすっきりとした味を引き出した出汁を簡単にとることができる。
【図面の簡単な説明】
【００２８】
【図１】本発明の出汁とり用調理器具の実施形態を例示する分解斜視図
【図２】本発明の出汁とり用調理器具の実施形態を例示する斜視図
【図３】本発明の出汁とり用調理器具の実施形態を例示する断面図
【図４】本発明の出汁とり用調理器具を使用して出汁をとる方法を例示する工程図
【図５】本発明の出汁とり用調理器具の別の形態例を示す平面図
【図６】本発明の出汁とり用調理器具の別の形態例を示す平面図
【図７】（Ａ）図６のＡ−Ａ断面図  （Ｂ）図６のＢ−Ｂ断面図
【発明を実施するための形態】
【００２９】
以下、本発明の実施形態につき添付図面を参照して説明する。
図１乃至図３に示すように、この実施形態の出汁とり用調理器具１０は、出汁容器２０と保温容器３０と濾し網４０とを有している。
出汁容器２０は、出汁容器本体２１と、当該出汁容器本体２１の口２１ａを開閉自在に密封する出汁容器蓋２２とを有している。出汁容器本体２１及び出汁容器蓋２２は、ポリプロピレンからなる成型品である。この実施形態では、出汁容器２０として角形、中サイズのコンテナータイプのジップロック（登録商標）を利用している。この出汁容器２０の容量、寸法、質量、耐熱温度、耐冷温度はそれぞれ、５９１ｍｌ、縦１４５ｍｍ×横１４５ｍｍ×高さ６３ｍｍ、３４ｇ、１４０℃、−２０℃である。出汁容器本体２１は、その平面形状が四隅に若干丸みを有する正方形であり、その上端から下端にかけて縮寸している。出汁容器本体２１には、その口２１ａ全周を縁取るようにして張出部２１ｂが形成されている。張出部２１ｂは、口２１ａの外方下向きに円弧状に湾曲して張り出している。出汁容器蓋２２は、張出部２１ｂの外面に全周に亘って密に嵌合することにより出汁容器本体２１の口２１ａを密封する。出汁容器蓋２２には、その一角から外方に張り出した半円状の摘み部２２ａが形成されている。出汁容器蓋２２は、とった出汁を出汁容器２０内で保存する時に使用するものであり、出汁をとっている間は使用しない。
【００３０】
保温容器３０は、出汁容器本体２１を着脱自在に収容する保温容器本体３１と、当該保温容器本体３１の口３１ａを開閉自在に塞ぐ保温容器蓋３２とを有している。保温容器蓋３２は、出汁容器本体２１の口２１ａに丁度嵌合してこれを塞ぐ嵌合部３２ａを有している。保温容器本体３１及び保温容器蓋３２は、発泡スチロールからなる成型品である。保温容器本体３１の内面及び保温容器蓋３２の嵌合部３２ａの内面（下面）には、アルミ薄膜からなる熱反射層３３が設けられている。保温容器本体３１の底部中央及び保温容器蓋３２の中央には内外（上下）に貫通した小径の通気孔３１ｂ、３２ｂがそれぞれ設けられている。保温容器本体３１の口３１ａの四隅には、保温容器本体３１から出汁容器本体２１を取り外す際に出汁容器本体２１の張出部２１ｂに指を掛けやすくするために球状の窪み３１ｃが設けられている。保温容器本体３１の側面部及び保温容器蓋３２の側面部には、出汁容器本体２１及び保温容器本体３１への保温容器蓋３２の着脱時に指を掛けるための溝３１ｄ、３２ｄが設けられている。
【００３１】
濾し網４０は、出汁をとる際に出汁容器本体２１内に収容されるステンレス製またはプラスチック製の籠状の網である。濾し網４０は、その平面形状が四隅に若干丸みを有する正方形であり、その上端から下端にかけて縮寸している。濾し網４０は、保温容器蓋３２で出汁容器本体２１の口２１ａを塞いだときに、保温容器蓋３２の嵌合部３２ａと干渉しないようにその高さ寸法が選定されている。
【００３２】
つぎに、上記のように構成された出汁とり用調理器具１０を使用して麺つゆの素出汁として使用するのに適した出汁をとる方法について図４を参照して説明する。
【００３３】
まず、出汁容器本体２１を保温容器本体３１に装着し、出汁容器本体２１内に濾し網４０を装着した状態で出汁素材５０と熱湯６０を入れる（図４（Ａ））。この例では、出汁素材５０として、昆布２．５ｇ、煮干４．５ｇ、及び混合節４．５ｇを使用する。熱湯６０の量は約４５０ｃｃであり、温度は約１００℃である。
保温容器本体３１に保温容器蓋３２を被せて保温容器本体３１の口３１ａを塞ぐとともに、出汁容器本体３１の口３１ａに保温容器蓋３２の嵌合部３２ａを嵌合させる（図４（Ｂ））。この状態で室温にて３０分以上放置することにより出汁をとる。出汁素材５０のうち煮干が吸水してふやけるのに１０分〜３０分程度要するが、３０分以上放置することにより濃い出汁が出始める。４０分程放置した時点でも、出汁容器本体２１内の湯温は出汁の抽出に好適な温度である８５℃以上に保たれている。
【００３４】
この方法によれば、うどんつゆやそばつゆ等、麺つゆの素出汁として使用するのに適し雑味や濁りのないすっきりとした味を引き出した濃い出汁を簡単にとることができる。６０分程放置すれば、よりコクのある出汁をとることができる。出汁容器本体３１の口３１ａを保温容器蓋３２で塞ぐことにより、出汁容器本体３１内がほぼ密封状態に保たれるため、出汁をとっている間における香り成分の揮発を極力抑えて薫り高い出汁をとることができる。使用する出汁素材量５０の量は必要最小限であり、至って経済的に美味しい出汁をとることができる。
【００３５】
出汁をとった後は、保温容器本体３１から出汁容器本体２１を取り外すとともに、出汁容器本体２１から濾し網４０を取り出し、出汁容器本体２１の口２１ａを出汁容器蓋２２で密封することにより、とった出汁を別の容器に移し替えることなく出汁容器２０内にてそのまま保存することができる。高温（初期温度約１００℃）の熱湯６０を使用していることにより殺菌効果が得られるので、密封による効果と相まってそのまま数日間保存することも可能である。とった出汁を出汁容器２０ごと冷蔵庫内で冷温保存すれば、出汁を良好な状態でさらに長期保存することができる。
【００３６】
なお、上記の例では、出汁容器２０として角形、中サイズのコンテナータイプのジップロック（登録商標）を利用しているが、保温容器３０の寸法を変更すれば、出汁容器２０として角形、大サイズのコンテナータイプのジップロック（登録商標）を利用することも可能である。また、保温容器３０の寸法・形状を変更すれば、出汁容器２０として丸形のコンテナータイプのジップロック（登録商標）を利用することも可能である。
【００３７】
また、上記の例では、市販されている汎用の保存容器であるジップロック（登録商標）を出汁容器２０として利用しているが、本発明の出汁とり用調理器具１０専用の出汁容器２０を使用してもよいことは無論である。
【００３８】
また、上記の例に示した保温容器本体３１及び保温容器蓋３２は発泡スチロール製であるが、保温性が高く且つ十分な定形性と耐熱性を有するものであればその他の材質・構造のものを使用してもよい。たとえば、真空断熱構造のステンレス製のものを使用してもよい。また、内部に発泡スチロール、ウレタンフォームなどからなる保温材層を有するプラスチック製のものを使用してもよい。
【００３９】
また、上記の例に示した濾し網４０は、その平面形状が四隅に若干丸みを有する正方形のものであるが、底部が球面状に丸くなっているものを使用してもよい。濾し網４０の底部が球面状に丸くなっていることにより、出汁をとった後の濾し網４０の洗浄がしやすくなる。
【００４０】
また、上記の例では、出汁とり用調理器具１０を使用して麺つゆの素出汁として使用するのに適した出汁をとる方法について説明したが、この出汁とり用調理器具１０を使用することにより、出汁素材５０から抽出した出汁に薄口醤油及び砂糖を加味したうどんつゆやそばつゆを簡単に製造することもできる。図４の例と同様に、出汁容器本体２１に昆布２．５ｇ、煮干４．５ｇ、混合節４．５ｇ、薄口醤油２５ｃｃ、砂糖４ｇ、熱湯４５０ｃｃを入れて３０分以上放置することにより、雑味や濁りのないすっきりとした味を引き出した美味しいうどんつゆやそばつゆを簡単に製造することができる。
【００４１】
また、出汁容器本体３１としてその内面の色が白又は乳白色のものを使用することにより、出汁の旨味の抽出の度合いを視認し易くできる。出汁の旨味の抽出の度合いを視認できることは、うどんつゆや八方出汁を作る際に特に有効であり、また、醤油を入れたときのつゆの色味を見て醤油の加減を調整するのにも大変役立つ。
【００４２】
また、図５に例示するように、出汁素材５０の計量用実物大写真５１を保温容器蓋３２の表面に印刷あるいは貼り付けなどの方法で付しておくことにより、出汁素材５０の計量を計量用実物大写真５１との目視比較により簡単に行うことができる。
【００４３】
また、煮干一尾がほぼ一定の大きさであれば、たとえば煮干４．５ｇを煮干何尾と言い換えることもできるので、保温容器蓋３２の表面に煮干しの計量目安として尾数を付しておくことも有効である。また、混合節に関しても一定の厚みで大きさが同じであれば、たとえば混合節２．５ｇを混合節何枚と言い換えることができるので、保温容器蓋３２の表面に混合節の計量目安として枚数を付しておくことも有効である。また、昆布に関しては、厚みは様々で大きさも形も様々であるが実物大写真により厚みと形を示すことで昆布２．５ｇの可成り正確な計量目安を示すことができる。
【００４４】
また、図６及び図７に例示するように、保温容器蓋３２の表面に、うどんつゆやそばつゆを造る際に薄口醤油と砂糖の使用量を適量に計量するための計量用窪み３２ｅ、３２ｆを設けておくことも有効である。薄口醤油と砂糖をそれぞれの計量用窪み３２ｅ、３２ｆに入れることにより、薄口醤油と砂糖を簡単に計量できる。そして、計量した薄口醤油と砂糖を直接、保温容器蓋３２から出汁容器本体３１内に入れることができる。図６及び図７の例では、各計量用窪み３２ｅ、３２ｆの内面に、それぞれ薄口醤油と砂糖の適量目安を示す計量ライン３２ｉ、３２ｊがそれぞれ付されている。また、計量した薄口醤油と砂糖を、それぞれの計量用窪み３２ｅ、３２ｆから保温容器蓋３２の外縁角部に案内するための浅い案内溝３２ｇ、３２ｈが保温容器蓋３２の表面に設けられている。この構成によれば、保温容器蓋３２を案内溝３２ｇ、３２ｈ側に傾けることにより、計量した薄口醤油と砂糖をこぼすことなく出汁容器本体３１内に導入できる。
【符号の説明】
【００４５】
１０  出汁とり用調理器具
２０  出汁容器
２１  出汁容器本体
２１ａ  口
２２  出汁容器蓋
３０  保温容器
３１  保温容器本体
３１ａ  口
３１ｂ  通気孔
３２  保温容器蓋
３２ａ  嵌合部
３２ｂ  通気孔
３２ｅ、３２ｆ  計量用窪み
３２ｇ、３２ｈ  案内溝
３３  熱反射層
４０  濾し網
５０  出汁素材
５１  計量用実物大写真（計量用実物大画像）
【図１】
0005557277.tif 000002
【図２】
0005557277.tif 000003
【図３】
0005557277.tif 000004
【図４】
0005557277.tif 000005
【図５】
0005557277.tif 000006
【図６】
0005557277.tif 000007
【図７】
0005557277.tif 000008